(57)【特許請求の範囲】
【請求項１】
内蔵プリンタを覆う開閉可能な蓋部材と、前記蓋部材の端部近傍であって前記蓋部材の回転中心から最も遠い位置の近傍に、前記回転中心の中心軸に平行な方向に印字用紙の幅だけ隔てて設けた、前記印字用紙の移動を規制する一対の規制手段とを有する蓋部材を備えるプリンタ付き携帯機器装置において、前記規制手段は、前記蓋部材に植立した縦壁に回転可能に枢支したガイド部材から成り、前記縦壁は前記ガイド部材を回転支持する回転支持部材により前記ガイド部材を前記縦壁に枢支することを特徴とするプリンタ付き携帯機器装置。
【請求項２】
前記縦壁に縦壁孔を設け、前記ガイド部材に前記縦壁を挟み込む切り溝を設け、前記切り溝に前記縦壁を挟み込んだときに前記縦壁の孔に連通するガイド部材孔を前記ガイド部材に設け、前記回転支持部材は、前記ガイド部材孔と前記縦壁孔とに通して前記ガイド部材を前記縦壁に枢支するピンであることを特徴とする請求項１に記載のプリンタ付き携帯機器装置。
【請求項３】
前記縦壁孔と前記ガイド部材孔のうちの一方の孔を大き目に形成して、前記ピンを他方の孔に締まりばめにより固定し、前記縦壁と前記ガイド部材の切り溝との摩擦により、前記ガイド部材の回転位置を自己保持することを特徴とする請求項２に記載のプリンタ付き携帯機器装置。
【請求項４】
前記ガイド部材を前記蓋部材より軟質の材料を用いて成形し、前記縦壁の厚さを前記ガイド部材の切り溝の幅より大き目に設定することを特徴とする請求項２または請求項３に記載のプリンタ付き携帯機器装置。
【請求項５】
前記蓋部材の閉成状態を維持するために前記蓋部材に固定された磁性体を携帯機器装置本体側から吸着する磁石と、前記蓋部材を開く方向に付勢するスプリングとを具備し、前記磁石の吸着力に前記スプリングの付勢力が打ち勝つ角度まで前記蓋部材を回転させると、前記蓋部材に設けたストッパーが携帯機器装置本体と当接するまで前記蓋部材が前記スプリングの付勢力で回転することを特徴とする請求項１ないし請求項４に記載のプリンタ付き携帯機器装置。
【発明の詳細な説明】
【０００１】
【発明の属する技術分野】
本発明は、印刷機能を内蔵するプリンタ付き携帯機器装置に関し、特に、印字用紙を正確にガイドできるようにしたものである。
【０００２】
【従来の技術】
従来、データ処理機能を持つモバイル型の携帯端末が開発され、各種の業務に活用されている。この装置は、業種に応じた業務支援アプリケーションを搭載することにより、銀行などの渉外活動や、保守・点検作業、訪問先での商談、運送・宅配・引越しの見積書の作成、巡回看護や介護の記録など、幅広い業務に利用することができる。この装置を扱うセールスマンや担当者は、片手で装置を保持し、他方の手に入力用のペンを持ち、入力画面のメニューを選択してデータを呼び出したり、必要なデータを入力する。また、この装置は、社内に設置された集配信装置を通じて、記録したデータをホストコンピュータにアップロードしたり、ホストコンピュータから最新のデータをダウンロードしたりすることができ、社内ネットワークとの情報共有化を図ることができる。
【０００３】
また、この装置をポータブルプリンタとケーブル接続することにより、商談現場で見積書や伝票、保証書、領収書などを発行することができる。
【０００４】
【発明が解決しようとする課題】
しかし、携帯端末とプリンタとをケーブルで接続する場合は、印刷を行うとき、両方の装置を平らな場所に置いて操作する必要があり、これらの装置を携帯したまま印刷することはできない。こうした携帯端末の操作性を改善するため、本発明者等は、プリンタを内蔵した携帯端末を開発した。この装置は、片手で保持したまま伝票や見積書、証書などをプリントアウトすることができる。
【０００５】
ただ、この場合、印字部に導入する印刷用紙の位置決めが問題になる。見積書や証書などの印刷用紙は、予め罫線や定形文が印刷された一枚ずつの単票であり、この単票の決められた位置に文字を印字する必要がある。しかし、単票が、移動方向に対して、斜めの状態で印字部に導入される（単票が斜行する）と、正しい位置に文字を印刷することができない。また、この印刷用紙の斜行は、印字部内で紙がジャムる原因になる。
【０００６】
卓上で操作するワードプロセッサなどでは、内蔵するプリンタに印刷用紙のガイドを通常設けているが、プリンタを内蔵する携帯端末では、装置全体の小型・軽量化が必須の命題であるから、ワードプロセッサなどで使用されている印刷用紙のガイド機構を導入することはできない。
【０００７】
本発明は、こうした従来の課題を解決するものであり、印刷用紙のコンパクトなガイド機構を持ち、小型・軽量化を満たしながら、優れた印刷性能を有するプリンタ付き携帯機器装置を提供することを目的としている。
【０００８】
【課題を解決するための手段】
そこで、本発明では、プリンタを内蔵した携帯機器装置において、開閉が可能なプリンタの蓋部材と、プリンタを開けるとき、閉成位置から回転した蓋部材の回転角度を一定に保持する保持手段と、蓋部材の回転中心から最も遠い位置の近傍に、前記回転中心の中心軸と平行する方向に印字用紙の幅だけ隔てて設けた、印字用紙の前記方向への移動を規制する一対の規制手段とを設けている。
【０００９】
そのため、この装置を携帯した状態で、単票などに印字する場合でも、印字用紙の斜行に起因する印字の位置ずれや用紙の絡まり（紙ジャム）を防止することができる。
【００１０】
【発明の実施の形態】
本発明の実施形態における携帯機器装置は、図２に示すように、偏平な、小型弁当箱のような外形を有しており、表面には長方形の入力画面11と、プリンタの蓋部材12とを備えている。操作者は、図１７に示すように、短辺側の脇を片手で持ち、他方の手に持つペンで入力画面11にタッチして入力操作を行う。蓋部材12は開閉可能であり、これを開くと、図１に示すように、プリンタの印字用紙挿入口13と印字用紙排出口14とが現れる。蓋部材12の開き角度は約１１０度に保持される。
【００１１】
蓋部材12の縁には、印字用紙幅の間隔を置いて一対のガイド部材15を設けている。このガイド部材15は、蓋部材12と平行に倒したり、蓋部材12から直角に起立させることができ、蓋部材12を閉じるときはガイド部材15を倒し、また、蓋部材12を開いてプリントアウトを実行するときは、ガイド部材15を起こし、印字用紙を、一対のガイド部材15の間を通して印字用紙挿入口13に導く。16は紙送りノブであり、印字用紙挿入口13に導入した印字用紙の先端位置を、紙送りノブ16を回して調節する。
【００１２】
図３は、ガイド部材15を起こして単票17を印刷している状態を示し、図４は、その側面図を示している。蓋部材12は、印字用紙挿入口13及びプリンタ内部の印字用紙搬送経路に単票17が無理なく挿入できる角度を保持している。
【００１３】
図５は、装置本体から取り外した蓋部材12を示している。蓋部材12の回転中心位置となる図の下側の両側方には、支軸用の突起21が設けられており、蓋部材12を撓ませて、この突起21を装置本体側の窪みに嵌合することにより、蓋部材12は装置本体に開閉可能に取り付けられる。
【００１４】
また、蓋部材12の周囲を補強用の縦壁18で囲み、縦壁18の一部を除いてガイド部材15を設置している。また、蓋部材12の回転中心側の縁は、中央部分の縦壁18の高さを低くし、そこに、蓋部材12を開いたときの回転角度を規制するストッパー19を設けている。図６は、ストッパー19の一つを拡大して示し、図７の側面図は、蓋部材12を開いたとき、ストッパー19の先端が装置本体の壁に当接して、蓋部材12のそれ以上の開きを規制している状態を示している。
また、蓋部材12には、開放方向に付勢するスプリングを受け入れるための凹部22を設け、また、装置本体側の磁石に吸着される磁性金属片20を配置している。
【００１５】
図８は、このスプリング23及び磁石による開閉機構を拡大して示している。スプリング23の基部及び磁石部分はカバー24で隠されており、カバー24を外した状態を図９に、また、負荷が無い状態のスプリング23単体を図１０に示している。
磁石25は導磁片26で囲まれ、導磁片26の先端がカバー24の孔27から露出している。蓋部材12を閉じたときには、蓋部材12に固定した磁性金属片20が導磁片26の先端に吸着され、蓋部材12の閉成状態が保持される。
【００１６】
一方、スプリング23は、基部のコイル部分28及び折曲部分29が装置本体側に固定され、湾曲部分30が蓋部材12の凹部22に収容される。このとき湾曲部分30は、反発力を貯えた状態で凹部22に収容されるため、図１０の状態に戻ろうとするスプリング23により、蓋部材12は常に開く方向に付勢される。
従って、蓋部材12が閉じているとき、人が磁石25の吸着力に抗して蓋部材12を開き始めると、磁石25の吸着力が弱まり、スプリング23の付勢力が勝って、蓋部材12は、ストッパー19に規制される角度まで自動的に開く。
【００１７】
図１１は、ガイド部材15の取付け構造を分解して示している。縦壁18を内側に直角に曲げ、その先を再び直角に曲げてガイド部材取り付け位置に臨ませ、この縦壁18の終端部分に小孔32を設けて軸受壁31を形成している。ガイド部材15には、この軸受壁31を挟み込む切り溝33を設け、切り溝33の両側の片に、ピン38を通すための貫通孔34を設けている。また、ガイド部材15には、ガイド部材15の起立操作がし易いように、指先を引っ掛ける爪35を設けている。また、この爪35と向き合う側の縦壁18の断面にはテーパー36を付して爪35との間隔を拡げ、指先が爪35の位置に入り易くしている。
【００１８】
また、蓋部材12のガイド部材15装着位置に僅かな窪み37を設け、ガイド部材15の厚さ（図１１の縦方向の厚さ）の寸法をできるだけ大きく取れるように構成している。
ガイド部材15を軸受壁31に取り付ける場合は、ガイド部材15の切り溝33を軸受壁32に嵌め込み、ガイド部材15の貫通孔34及び軸受壁31の小孔32にピン38を挿通して、ガイド部材15を軸受壁31で枢支する。このガイド部材15の貫通孔34は、ピン38の径より大きめに形成し、一方、軸受壁31の小孔32は、嵌まったピン38が簡単に抜けないような径に形成している。そのため、挿通したピン38は、軸受壁31の小孔32に“締まりばめ”の状態で固定され、ガイド部材15は、このピン38の回りを回転する。
【００１９】
また、ガイド部材15が回転位置を自己保持できるように、軸受壁31とガイド部材15の切り溝33とが若干干渉して、軸受壁31と切り溝33の内面との間で摩擦が生じるように、軸受壁31の厚さとガイド部材15の切り溝33の幅とを寸法設定している。
この場合、蓋部材12をＡＢＳ樹脂などの硬質樹脂で成形し、ガイド部材15を軟質ポリエチレンやポリプロピレンなどの軟質樹脂で成形すれば、ガイド部材15の切り溝33に硬質樹脂の軸受壁31を嵌めたとき、切り溝33の内面が変形して軸受壁31に常時弾性的に接触し、両者間で安定した摩擦を得ることができる。
【００２０】
このような構成では、例えば、ピンとガイド部材との間の摩擦面積等に比べて、軸受壁31とガイド部材15の切り溝33との間で広い摩擦面積を確保することができるため、摩擦状態を永続させることが可能であり、ガイド部材15の回転位置を安定的に保持することができる。
【００２１】
図１２は、ガイド部材15を倒した状態を示し、また、図１３は、このときの側面図を示している。蓋部材12のガイド部材15装着位置に窪み37を設けているため、倒した状態のガイド部材15は、縦壁18の高さから突出すること無く、縦壁18のラインの延長線を形成する。そのため、蓋部材15を閉じるときに、ガイド部材15が障害にならない。
【００２２】
図１４は、ガイド部材15を起立させた状態を示し、図１５は、このときの側面図を示している。一対のガイド部材15は、図５に示すように、お互いに向き合う方向に倒立し、倒立状態から、互いに反対方向に回転して起立する。ガイド部材15は、倒立状態から９０度回転すると、折れ曲がった縦壁18の部分に当接して、それ以上の回転が規制される。そのため、一対のガイド部材15の間に配置された印字用紙からガイド部材15に力が加わっても、ガイド部材15は直角に起立した状態を維持することができる。
【００２３】
また、ガイド部材15は蓋部材12の回転中心から最も遠い位置に設けているため、蓋部材12上の印字用紙挿入口13から最も離れた位置で印字用紙の位置規制が行われる。そのため、印字用紙を少ない力で正確にガイドすることができる。
【００２４】
このように、このプリンタ付き携帯機器装置は、印字用紙のガイド機構を有しているため、機器を携帯したまま不安定な状態でプリントアウトする場合でも、印字用紙の正確な位置規制が可能であり、印字の位置ずれやプリンタ内での印字用紙の絡まりを防止することができる。
【００２５】
なお、ここでは、ガイド部材15の貫通孔34の径を軸受壁31の小孔32の径より大きくして、ピン38を軸受壁31の小孔32に“締まりばめ”の状態で固定する場合について説明したが、ガイド部材15の貫通孔34の径を小さくし、軸受壁31の小孔32の径を大きくして、ピン38をガイド部材15の貫通孔34に“締まりばめ”の状態で固定するようにしても良い。
【００２６】
また、ここでは単票への印字について説明したが、プリンタ内に収容したロール紙に印字を行う機種の場合でも、印字され、排出されたロール紙をガイド部材間を通して位置規制することにより、安定した、正確な印字が可能になる。
【００２７】
また、本発明の変形として、図１６に示すように、プリンタの蓋部材12に印字用紙の幅に合わせた切り欠き39を設け、この切り欠き39によって印字用紙の位置規制を行うようにしても良い。この切り欠き39の側辺は、起立するガイド部材と同様に印字用紙の斜行を防止する。
【００２８】
また、本発明は、プリンタを内蔵するどのような種類の携帯装置に対しても適用することができる。
【００２９】
【発明の効果】
以上の説明から明らかなように、本発明のプリンタ付き携帯機器装置は、携帯してプリントアウトする場合でも、印字用紙の斜行に起因する印字の位置ずれや用紙の絡まり（紙ジャム）を未然に防止することができる。
【００３０】
そのため、伝票や証書などの発行業務を場所を限定せずに行うことが可能になり、携帯機器装置を利用する業務範囲を拡大することができる。
【図面の簡単な説明】
【図１】実施形態のプリンタ付き携帯機器装置の蓋部材を開いた状態を示す斜視図、
【図２】実施形態のプリンタ付き携帯機器装置の蓋部材を閉じた状態を示す斜視図、
【図３】実施形態のプリンタ付き携帯機器装置の印刷状態を示す斜視図、
【図４】実施形態のプリンタ付き携帯機器装置の印刷状態を示す側面図、
【図５】実施形態のプリンタ付き携帯機器装置の蓋部材を示す斜視図、
【図６】実施形態の蓋部材のストッパを拡大して示す斜視図、
【図７】実施形態のプリンタ付き携帯機器装置の開き角度規制された蓋部材を示す側面図、
【図８】実施形態のプリンタ付き携帯機器装置の開閉機構を示す拡大斜視図、
【図９】前記開閉機構のカバーを除いた拡大斜視図、
【図１０】開閉機構に用いるスプリングの斜視図、
【図１１】実施形態の蓋部材へのガイド部材の取り付け構造を示す斜視図、
【図１２】前記ガイド部材の倒立状態を示す斜視図、
【図１３】前記ガイド部材の倒立状態を示す側面図、
【図１４】前記ガイド部材の起立状態を示す斜視図、
【図１５】前記ガイド部材の起立状態を示す側面図、
【図１６】実施形態のプリンタ付き携帯機器装置の他の蓋部材構造を示す斜視図、
【図１７】実施形態のプリンタ付き携帯機器装置の操作状態を示す図である。
【符号の説明】
11  入力画面
12  蓋部材
13  印字用紙挿入口
14  印字用紙排出口
15  ガイド部材
16  紙送りノブ
17  単票
18  縦壁
19  ストッパー
20  磁性金属片
21  突起
22  凹部
23  スプリング
24  カバー
25  磁石
26  導磁片
27  孔
28  コイル部分
29  折曲部分
30  湾曲部分
31  軸受壁
32  小孔
33  切り溝
34  貫通孔
35  爪
36  テーパー
37  窪み
38  ピン
39  切り欠き
【図１】
0004573996.tif 000002
【図２】
0004573996.tif 000003
【図３】
0004573996.tif 000004
【図４】
0004573996.tif 000005
【図５】
0004573996.tif 000006
【図６】
0004573996.tif 000007
【図７】
0004573996.tif 000008
【図８】
0004573996.tif 000009
【図９】
0004573996.tif 000010
【図１０】
0004573996.tif 000011
【図１１】
0004573996.tif 000012
【図１２】
0004573996.tif 000013
【図１３】
0004573996.tif 000014
【図１４】
0004573996.tif 000015
【図１５】
0004573996.tif 000016
【図１６】
0004573996.tif 000017
【図１７】
0004573996.tif 000018